(57)【要約】注目させたい特定の領域確実に認識できる画像表示方法及び装置を提供することを目的とし、立体画像を表示できる画像表示手段を備え、該画像表示手段に複数のウインドウを表示し、各ウインドウに画像を表示する画像表示方法において、特定のウインドウに表示させる画像が他の表示位置と立体的に異なる位置に配置されていると認識されるよう表示するものとした。
2004099965.tif 000002
【特許請求の範囲】
【請求項１】
立体画像を表示できる画像表示手段を備え、該画像表示手段に複数のウインドウを表示し、各ウインドウに画像を表示する画像表示方法において、特定のウインドウに表示させる画像が他の表示位置と立体的に異なる位置に配置されていると認識されるよう表示することを特徴とする画像表示方法。
【請求項２】
前記特定のウインドウに表示されている画像は、画像表示手段の表示面から飛び出して、認識されるよう表示されることを特徴とする請求の範囲１に記載の画像表示方法。
【請求項３】
前記特定のウインドウに表示されている画像は、画像表示手段の表示面から沈み込んで認識されるよう表示されることを特徴とする請求の範囲１記載の画像表示方法。
【請求項４】
飛び出し量又は沈み込み量が各ウインドウにより変えられることを特徴とする請求の範囲２又は請求の範囲３のいずれかに記載の画像表示方法。
【請求項５】
カーナビゲーションシステムの画像表示手段に適用したことを特徴とする請求の範囲１乃至請求の範囲４のいずれかに記載の画像表示方法。
【請求項６】
パーソナルコンピュータシステムの画像表示手段に適用したことを特徴とする請求の範囲１乃至請求の範囲４のいずれかに記載の画像表示方法。
【請求項７】
テレビ会議システムの画像表示手段に適用したことを特徴とする請求の範囲１乃至請求の範囲４のいずれかに記載の画像表示方法。
【請求項８】
立体画像を表示できる画像表示手段と、取得した画像データ中特定ウインドウである特定領域を指定する特定領域指定手段と、特定領域で指定された領域の画像データを選択する画像データ選択手段と、選択された画像データに左右眼による視差量を与える視差付与手段と、を備えたことを特徴とする画像表示装置。
【請求項９】
視差量付与手段は、前記特定領域の画像に画像表示手段の表示面から飛び出して認識されるように、表示される視差量を付与することを特徴とする請求の範囲８に記載の画像表示装置。
【請求項１０】
視差量付与手段は、前記特定領域の画像に画像表示手段の表示面から飛び出して認識されるように、表示される視差量を付与することを特徴とする請求の範囲８に記載の画像表示装置。
【請求項１１】
視差量付与手段は、飛び出し量又は沈み込み量が各特定領域により変更できることを特徴とする請求の範囲９又は請求の範囲１０のいずれかに記載の画像表示装置。
【請求項１２】
カーナビゲーションシステムの画像表示手段に適用したことを特徴とする請求の範囲８乃至請求の範囲１１のいずれかに記載の画像表示装置。
【請求項１３】
パーソナルコンピュータシステムの画像表示手段に適用したことを特徴とする請求の範囲８乃至請求の範囲１１のいずれかに記載の画像表示装置。
【請求項１４】
テレビ会議システムの画像表示手段に適用したことを特徴とする請求の範囲８乃至請求の範囲１１のいずれかに記載の画像表示装置。
【発明の詳細な説明】
【技術分野】  この発明は、画像表示方法及び装置に係り、特に、表示された平面画像中特定の領域を表示平面から飛び出させて、あるいは引き込ませて表示することができる画像表示方法及び装置に関する
【背景技術】  画像表示装置として、１つの画面に複数の画像を区割りして表示する技術がある。
図１０はカーナビゲーションシステムの表示画面を示している。この画面６０においては、大部分の画面６１として車両が走行している地点の地図が表示され、車両が分岐点に近づくと右隅に小さなウインドウ６２が表示され、分岐地点の拡大詳細図が表示されるものである。このとき、小さなウインドウには色つきの枠６３が表示され、運転者の注意を引くように配慮されている。
同様に、図１１に示すようなテレビ会議システムの表示画面７０においても、画面を４分割して参加者Ａ，Ｂ，Ｃ，Ｄの上半身画像を表示し、発言者であるＢを示すウインドウ７２に色つきの枠７３を表示し、現在誰が発言しているかがはっきりと認識できるようにしている。
しかしながら、上述したカーナビゲーションシステムに使用された表示システムの表示画面では、小さなウインドウが目立たず運転者が拡大詳細図を見過ごすことがある。
また、上述したテレビ会議システムの表示画面でも誰が発言しているかがわかりにくい場合も多い、という問題がある。
この発明は、かかる現状に鑑み創案されたものであって、その目的とするところは、注目させたい特定の領域を確実に認識できる画像表示方法及び装置を提供しようとするものである。
【発明の開示】
請求の範囲１に記載の本発明は、立体画像を表示できる画像表示手段を備え、該画像表示手段に複数のウインドウを表示し、各ウインドウに画像を表示する画像表示方法において、特定のウインドウに表示させる画像が他の表示位置と立体的に異なる位置に配置されていると認識されるよう表示することを特徴とする画像表示方法である。
本発明によれば、特定のウインドウに表示される画像は表示位置と立体的に異なる位置に配置されていると認識されるから、他の画面との区別がつきやすいものとすることができる。
請求の範囲２に記載の本発明は、請求の範囲１に記載の画像表示方法において、前記特定のウインドウに表示されている画像は、画像表示手段の表示面から飛び出して、認識されるよう表示されることを特徴とするものである。
本発明によれば、特定のウインドウに表示される画像は、表示位置より飛び出して配置されていると認識されるから、他の画面との区別がつきやすい。
請求の範囲３に記載の本発明は、請求の範囲１に記載の画像表示方法において、前記特定のウインドウに表示されている画像は、画像表示手段の表示面から沈み込んで認識されるよう表示されることを特徴とするものである。
本発明によれば、特定のウインドウに表示される画像は、表示位置より沈み込んで配置されていると認識されるから、他の画面との区別がつきやすい。
請求の範囲４に記載の本発明は、請求の範囲２又は請求の範囲３のいずれかに記載の画像表示方法において、飛び出し量又は沈み込み量が各ウインドウにより変えられることを特徴とするものである。
本発明によれば、特定のウインドウに表示される画像は、表示位置より飛び出し量又は沈み込み量を変えることができるため、各ウインドウの区別がしやすく、また、重要度をふまえて飛び出し位置、沈み込み位置を設定できる。
請求の範囲５に記載の本発明は、請求の範囲１乃至請求の範囲４のいずれかに記載の画像表示方法を、カーナビゲーションシステムの画像表示手段に適用したことを特徴とするものである。
本発明によれば、特に強調したいウインドウの表示を浮き上がらせ、又は沈み込ませることにより、カーナビゲーションシステムの画像を認識しやすいものとできる。
請求の範囲６に記載の本発明は、請求の範囲１乃至請求の範囲４のいずれかに記載の画像表示方法を、パーソナルコンピュータシステムの画像表示手段に適用したことを特徴とするものである。
本発明によれば、特に強調したいウインドウの表示を浮き上がらせ、又は沈み込ませることにより、パーソナルコンピュータシステムの画像を認識しやすいものとできる。
請求の範囲７に記載の本発明は、請求の範囲１乃至請求の範囲４のいずれかに記載の画像表示方法を、テレビ会議システムの画像表示手段に適用したことを特徴とするものである。
本発明によれば、特に強調したいウインドウの表示を浮き上がらせ、又は沈み込ませることにより、テレビ会議システムの画像において発言者を認識しやすいものとできる。
請求の範囲８に記載の本発明は、立体画像を表示できる画像表示手段と、取得した画像データ中、特定ウインドウである特定領域を指定する特定領域指定手段と、特定領域で指定された領域の画像データを選択する画像データ選択手段と、選択された画像データに左右眼による視差量を与える視差付与手段と、を備えたことを特徴とする画像表示装置である。
本発明によれば、特定のウインドウに表示される画像は、視差量付与手段により、表示位置と立体的に異なる位置に配置されるから、該画面は他の画面との区別を付け易くすることができる。
請求の範囲９に記載の本発明は、請求の範囲８に記載の画像表示装置において、視差量付与手段は、前記特定領域の画像に画像表示手段の表示面から飛び出して、認識されるよう表示される視差量を付与することを特徴とするものである。
本発明によれば、特定のウインドウに表示される画像は表示位置より飛び出して配置されていると認識されるから、他の画面との区別がつきやすい。
請求の範囲１０に記載の本発明は、請求の範囲８に記載の画像表示装置において、視差量付与手段は、前記特定領域の画像に画像表示手段の表示面から飛び出して、認識されるよう表示される視差量を付与することを特徴とするものである。
本発明によれば、特定のウインドウに表示される画像は表示位置より沈み込んで配置されていると認識されるから、他の画面との区別がつきやすい。
請求の範囲１１に記載の本発明は、請求の範囲９又は請求の範囲１０のいずれかに記載の画像表示装置において、視差量付与手段は、飛び出し量又は沈み込み量が各特定領域により変更できることを特徴とするものである。
本発明によれば、特定のウインドウに表示される画像は、表示位置より飛び出し量又は沈み込み量を変えることができるため、各ウインドウの区別がしやすく、また、重要度をふまえて飛び出し位置、沈み込み位置を設定できる。
請求の範囲１２に記載の本発明は、請求の範囲８乃至請求の範囲１１のいずれかに記載の画像表示装置を、カーナビゲーションシステムの画像表示手段に適用したことを特徴とするものである。
本発明によれば、特に強調したいウインドウの表示を浮き上がらせ、又は沈み込ませることにより、カーナビゲーションシステムの画像を認識しやすいものとできる。
請求の範囲１３に記載の本発明は、請求の範囲８乃至請求の範囲１１のいずれかに記載の画像表示装置を、パーソナルコンピュータシステムの画像表示手段に適用したことを特徴とするものである。
本発明によれば、特に強調したいウインドウの表示を浮き上がらせ、又は沈み込ませることにより、パーソナルコンピュータシステムの画像を認識しやすいものとできる。
請求の範囲１４に記載の本発明は、請求の範囲８乃至請求の範囲１１のいずれかに記載の画像表示装置を、テレビ会議システムの画像表示手段に適用したことを特徴とするものである。
本発明によれば、特に強調したいウインドウの表示を浮き上がらせ、又は沈み込ませることにより、テレビ会議システムの画像において発言者を認識しやすいものとできる。
【図面の簡単な説明】  図１は、本発明に係る画像表示装置の構成例を示すブロック図である。
図２は、図１に示した画像表示装置の作動を示すフローチャートである。
図３は、本発明をカーナビゲーションシステムに適用したときの表示手段の画面を示す図である。
図４は、本発明をパーソナルコンピュータシステムに適用したときの表示手段の画面を示す図である。
図５は、本発明をテレビ会議システムに適用したときの表示手段の画面を示す図である。
図６は、本発明をメールのリスト表示装置に適用したときの表示装置の画面を示す図である。
図７は本例に係る画像表示装置を示す図である。
図８は本例に係る画像表示装置を示す斜視図である。
図９は本例にかかる画像表示装置の市松状フィルタを示す図である。
図１０は、従来の技術によるカーナビゲーションシステムの表示手段の画面を示す図である。
図１１は従来のカーナビゲーションシステムの表示例を示す図である
【発明を実施するための最良の形態】  以下、本発明の実施の形態について、図面を参照して説明する。図１乃至図９は、本発明に係る画像表示装置の構成例を示すものである。図１は本発明に係る画像表示装置の構成例を示すブロック図、図２は図１に示した画像表示装置の作動を示すフローチャート、図３は本発明をカーナビゲーションシステムに適用したときの表示手段の画面を示す図、図４は本発明をパーソナルコンピュータシステムに適用したときの表示手段の画面を示す図、図５は本発明をテレビ会議システムに適用したときの表示手段の画面を示す図、図６は、本発明をメールのリスト表示装置に適用したときの表示装置の画面を示す図、図７は本例に係る画像表示装置を示す図、図８は本例に係る画像表示装置を示す斜視図、図９は本例にかかる画像表示装置の市松状フィルタを示す図である。
本例に係る画像表示装置１０は、図１に示すように、画像データを格納した画像データ格納手段１と、指令により飛び出す画像を表示させるウインドウを指定する特定領域指定手段２と、画像データ中特定領域に属する画像データを選択する特定領域画像データ選択手段３と、画像データ中から特定領域に属さない通常の領域のデータを選択する通常領域画像データ選択手段４と、前記特定領域に属する画像データに視差を与え画像が通常の表示面より飛び出すように処理する視差付与手段４と、立体画像表示手段６と、から構成される。
本例では、特定領域指定手段２を作動させるための指令は、例えば立体画像表示手段６上に設けられたタッチパネルスイッチの操作や、音声スイッチその他のスイッチ、または、図示しない制御装置により所定のタイミングで与えられる。
タッチパネルの操作は、例えば飛び出させたいウインドウに触れたり画像に表示されたボタンに触れることでなされる。また、特定領域としては、１つのウインドウを指定するものとしているが、これは複数であってもよい。また、複数のウインドウを指定した時には、視差付与手段は、各ウインドウ内の画像に異なる視差を与えるようにすることができる。図６は、本発明をメールのリスト表示装置に適用したときの表示装置の画面を示す図である。
まず、立体画像表示手段６について説明する。
立体映像表示手段である立体画像表示装置６は、図７及び図８に示すように、平面光源１０５の発光面左右に偏光方向が直交する右眼用偏光フィルタ部１０６ａと、左眼用偏光フィルタ部１０６ｂとを配置している。なお、発光素子と偏光フィルタを用いなくても、異なる偏光の光を異なる位置から照射するように構成すればよく、例えば、異なる偏光の光を発生する発光素子を二つ設けて、異なる偏光の光を異なる位置からフレネルレンズ１０３に照射するように構成してもよい。
また本実施形態例において１０３はフレネルレンズであり、各フィルタ部１０６ａ，１０６ｂを通過した各光は、このフレネルレンズ１０３で平行光として液晶表示素子１０２に照射される。そして本実施形態例では液晶表示素子１０２の表示パネル１２０は、立体視される第一及び第二の画像を構成する画素（Ｌ、Ｒ）を平面的に交互に配置される市松模様をなすように配置するものとしている。そして、この表示パネルの光源側及び観者側の両面にはそれぞれ偏光パネル１２１，１２２が貼付されている。
本実施形態例では、液晶表示パネル１０２は、２枚の透明板（例えば、ガラス板）の間に所定の角度（例えば９０度）ねじれて配向された液晶が配置されており、例えば、ＴＦＴ型の液晶表示パネルを構成している。液晶表示パネルに入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。
そして、本実施形態例では表示パネル２の光源側に市松状パネル１０７が貼付されている。
即ち、偏光フィルタ１０６を透過した光はフレネルレンズ３に照射され、フレネルレンズ３では発光素子５から拡散するように放射された光の光路を略平行になり市松状フィルタ１０７を透過して、液晶表示パネル１０２に照射される。
このとき、市松状フィルタ１０７から照射される光は、上下方向に広がることがないように出射され、液晶表示パネル１０２に照射される。すなわち、市松状フィルタ１０７の特定の領域を透過した光が、液晶表示パネル２の特定表示単位の部分を透過するようになっている
また、液晶表示パネルに照射される光のうち、偏光フィルタ１０６の右側領域１０６ａを通過した光と左側領域１０６ｂを通過した光とは、異なる角度でフレネルレンズ１０３に入射し、フレネルレンズ１０３で屈折して左右異なる経路で液晶表示パネル１０２から放射される。
市松状フィルタ１０７は、透過する光の位相を変える領域が図９、に示すように微細な間隔の市松状模様で繰り返して配置されている。具体的には、図９（２）に示すように光透過性の基材１７１に、微細な幅の１／２波長板１７２が設けられた領域１０７ａと、１／２波長板１７２の幅と同一の微細な間隔で、１／２波長１７１が設けられていない領域１０７ｂとが微細な間隔で繰り返して設けられた列が位相をずらして設けられている。なお、この１／２波長板は光源側に設けても、表示パネル側に設けても差し支えない。
このような構成により、設けられた１／２波長板１７２によって透過する光の位相を変える領域１０７ａと、１／２波長板１７２が設けられていないために透過する光の位相を変えない領域１０７ｂとが微細な間隔の市松模様として規則的に設けられているものである。１／２波長板は、透過する光の位相を変化させる位相差板として機能する。１／２波長板１７２は、その光学軸を偏光フィルタ１０６の右側領域１０６ａを透過する光の偏光軸と４５度傾けて配置して、右側領域１０６ａを透過した光の偏光軸を９０度回転させて出射する。すなわち、右側領域１０６ａを透過した光の偏光軸を９０度回転させて、左側領域１０６ｂを透過する光の偏光と等しくする。すなわち、１／２波長板１７２が設けられていない領域１０７ｂは左側領域１０６ｂを通過した、偏光板１２１と同一の偏光を有する光を透過し、１／２波長板１７２が設けられた領域１０７ａは右側領域１０６ａを通過した、偏光板１２１と偏光軸が直交した光を、偏光板１２１の偏光軸と等しくなるように回転させて出射する。
この市松状フィルタ１０７の偏光特性の繰り返しは、液晶表示パネル１０２の表示単位と同一のピッチとして、表示単位毎（すなわち、表示単位の横方向の水平ライン及び縦方向の垂直ライン）に透過する光の偏光が異なるようにする。よって、液晶表示パネル１０２の走査方向と副走査方向の表示単位毎に対応する微細位相差板の偏光特性が異なるようになって、隣り合う画素毎に出射する光の方向が異なる。
次に、本例に係る画像表示装置の作動について説明する。
まず、画像表示装置１０には画像データが取り込まれ（Ｓ１）、前記指令に基づいて特定領域指定手段２により特定領域が指定される（Ｓ２）。
次に、特定領域画像データ選択手段３は、画像データ中から前記特定領域に属する画像データを選択して視差付与手段５に送る（Ｓ３）。
そして、視差付与手段５は、特定領域に属する画像データに通常画面から飛び出すように立体画像表示手段の左目用画像及び右目用画像に視差を付与する（Ｓ４）。
通常領域画像データ選択手段４は、全体の画像データ中から前記特定領域に属する画像データを減して通常領域の画像データを出力する（Ｓ５）。これらの画像は合成され（Ｓ６）画像が出力される。
次に、本例に係る画像表示装置の適用例について説明する。
図３は。本例をカーナビゲーションシステムに適用したときの表示手段の画面を示す図である。本例では、カーナビゲーションシステムの表示手段は立体表示手段が採用され、常時は大部分の画面２１に車両が走行している地点の地図が表示される。
そして、車両が分岐点に近づくとカーナビゲーションシステムの制御装置の指令により、特定領域として右隅に小さなウインドウ２２が通常の画面から飛び出して、分岐地点の拡大詳細図が表示され、運転者の注意を引くように構成されている。
そして、車両が分岐点を通過すると、指定領域が解除され飛び出ていた表示が元の表示画面に戻るように構成されている。
また、本カーナビゲーションシステムにおいては、表示されている部分の表面に触れることによっても、そのウインドウの画像を飛び出させることができる。
図４は、本例をパーソナルコンピュータシステムに適用したときの表示手段の画面を示す図である。本例ではパーソナルコンピュータシステムの表示手段であるディスプレイ４０は立体表示が可能なものが採用されている。
そして、画面４１の下部４２には一列にアイコンａ〜ｍが表示されている。そして本例ではアイコンをクリックすると、そのアイコンが飛び出すように表示される。図ではアイコンｇがクリックされ飛び出して表示４３されている。尚、上記アイコンは飛び出すようにするほか、沈み込むように表示することもできる。
図５は本例をテレビ会議システムに適用したときの表示手段の画面を示す図である。本例では、本例では、カーナビゲーションシステムの表示手段は立体表示手段が採用され、４人での会議では画面を４分割して参加者Ａ，Ｂ，Ｃ，Ｄの上半身画像を表示している。
そして、発言が始まるとテレビ会議システムの制御装置の指令により、発言者であるＢを示すウインドウ３２が飛び出して表示され、現在Ｂが発言していることがはっきりと認識できるものとしている。
図６は、本例を受信メールのリスト表示に適用した例を示す図である。本例では、リスト５０中において重要度Ａ、重要度Ｂの順に表示欄の飛び出し量が変更されている。すなわち本例では重要度Ａの欄５１，５４，５６、重要度Ｂの欄５２，５３，５５の順に飛び出し量が少なくなり、その他の欄は飛び出しがない。このため、メールの重要度が一目で分かる。
本発明では、このように、特定の順に飛び出し量或は引っ込み量を制御して、その表示位置を変えるようにしてもよい。
【産業上の利用可能性】  請求の範囲１に記載の本発明は、立体画像を表示できる画像表示手段を備え、該画像表示手段に複数のウインドウを表示し、各ウインドウに画像を表示する画像表示方法において、特定のウインドウに表示させる画像が他の表示位置と立体的に異なる位置に配置されていると認識されるよう表示することを特徴とするものである。
本発明によれば、特定のウインドウに表示される画像は表示位置と立体的に異なる位置に配置されていると認識されるから、他の画面との区別がつきやすいものとすることができる。
請求の範囲２に記載の本発明は、請求の範囲１に記載の画像表示方法において、前記特定のウインドウに表示されている画像は、画像表示手段の表示面から飛び出して、認識されるよう表示されることを特徴とするものである。
本発明によれば、特定のウインドウに表示される画像は表示位置より飛び出して配置されていると認識されるから、他の画面との区別がつきやすい。
請求の範囲３に記載の本発明は、請求の範囲１に記載の画像表示方法において、前記特定のウインドウに表示されている画像は、画像表示手段の表示面から沈み込んで認識されるよう表示されることを特徴とするものである。
本発明によれば、特定のウインドウに表示される画像は表示位置より沈み込んで配置されていると認識されるから、他の画面との区別がつきやすい。
請求の範囲４に記載の本発明は、請求の範囲２又は請求の範囲３のいずれかに記載の画像表示方法において、飛び出し量又は沈み込み量が各ウインドウにより変えられることを特徴とするものである。
本発明によれば、特定のウインドウに表示される画像は、表示位置より飛び出し量又は沈み込み量を変えることができるため、各ウインドウの区別がしやすく、また重要度をふまえて飛び出し位置、沈み込み位置を設定できる。
請求の範囲５に記載の本発明は、請求の範囲１乃至請求の範囲４のいずれかに記載の画像表示方法を、カーナビゲーションシステムの画像表示手段に適用したことを特徴とするものである。
本発明によれば、特に強調したいウインドウの表示を浮き上がらせ、又は沈み込ませることにより、カーナビゲーションシステムの画像を認識しやすいものとできる。
請求の範囲６に記載の本発明は、請求の範囲１乃至請求の範囲４のいずれかに記載の画像表示方法を、パーソナルコンピュータシステムの画像表示手段に適用したことを特徴とするものである。
本発明によれば、特に強調したいウインドウの表示を浮き上がらせ、又は沈み込ませることにより、パーソナルコンピュータシステムの画像を認識しやすいものとできる。
請求の範囲７に記載の本発明は、請求の範囲１乃至請求の範囲４のいずれかに記載の画像表示方法を、テレビ会議システムの画像表示手段に適用したことを特徴とするものである。
本発明によれば、特に強調したいウインドウの表示を浮き上がらせ、又は沈み込ませることにより、テレビ会議システムの画像において発言者を認識しやすいものとできる。
請求の範囲８に記載の本発明は、画像表示装置を、立体画像を表示できる画像表示手段と、取得した画像データ中特定ウインドウである特定領域を指定する特定領域指定手段と、特定領域で指定された領域の画像データを選択する画像データ選択手段と、選択された画像データに左右眼による視差量を与える視差付与手段と、を備えて構成したことを特徴とするものである。
本発明によれば、特定のウインドウに表示される画像は、視差量付与手段により、表示位置と立体的に異なる位置に配置されから、該画面は他の画面との区別をつけやすいものとできる。
請求の範囲９に記載の本発明は、請求の範囲８に記載の画像表示装置において、視差量付与手段は、前記特定領域の画像に画像表示手段の表示面から飛び出して、認識されるよう表示される視差量を付与することを特徴とするものである。
本発明によれば、特定のウインドウに表示される画像は表示位置より飛び出して配置されていると認識されるから、他の画面との区別がつきやすい。
請求の範囲１０に記載の本発明は、請求の範囲８に記載の画像表示装置において、視差量付与手段は、前記特定領域の画像に画像表示手段の表示面から飛び出して、認識されるよう表示される視差量を付与することを特徴とするものである。
本発明によれば、特定のウインドウに表示される画像は、表示位置より沈み込んで配置されていると認識されるから、他の画面との区別がつきやすい。
請求の範囲１１に記載の本発明は、請求の範囲９又は請求の範囲１０のいずれかに記載の画像表示装置において、視差量付与手段は飛び出し量又は沈み込み量が各特定領域により変更できることを特徴とするの画像表示装置である。
本発明によれば、特定のウインドウに表示される画像は、表示位置より飛び出し量又は沈み込み量を変えることができるため、各ウインドウの区別がしやすく、また、重要度をふまえて飛び出し位置、沈み込み位置を設定できる。
請求の範囲１２に記載の本発明は、請求の範囲８乃至請求の範囲１１のいずれかに記載の画像表示装置を、カーナビゲーションシステムの画像表示手段に適用したことを特徴とするものである。
本発明によれば、特に強調したいウインドウの表示を浮き上がらせ、又は沈み込ませることにより、カーナビゲーションシステムの画像を認識しやすいものとできる。
請求の範囲１３に記載の本発明は、請求の範囲８乃至請求の範囲１１のいずれかに記載の画像表示装置を、パーソナルコンピュータシステムの画像表示手段に適用したことを特徴とするものである。
本発明によれば、特に強調したいウインドウの表示を浮き上がらせ、又は沈み込ませることにより、パーソナルコンピュータシステムの画像を認識しやすいものとできる。
請求の範囲１４に記載の本発明は、請求の範囲８乃至請求の範囲１１のいずれかに記載の画像表示装置を、テレビ会議システムの画像表示手段に適用したことを特徴とするものである。
本発明によれば、特に強調したいウインドウの表示を浮き上がらせ、又は沈み込ませることにより、テレビ会議システムの画像において発言者を認識しやすいものとできる。
【図１】
2004099965.tif 000003
【図２】
2004099965.tif 000004
【図３】
2004099965.tif 000005
【図４】
2004099965.tif 000006
【図５】
2004099965.tif 000007
【図６】
2004099965.tif 000008
【図７】
2004099965.tif 000009
【図８】
2004099965.tif 000010
【図９】
2004099965.tif 000011
【図１０】
2004099965.tif 000012
【図１１】
2004099965.tif 000013
【国際調査報告】
2004099965.tif 000014
2004099965.tif 000015
2004099965.tif 000016
2004099965.tif 000017